(57)【要約】  本発明の携帯端末は、レンズを光軸方向に対して前後に移動させて被写体を撮影し、画角の異なる複数の画像を出力するカメラ部（１１）と、カメラ部（１１）から出力される複数の画像を記憶する記憶部（１２）と、記憶部（１２）が記憶する複数の画像について、いずれか１つの画像に画角が一致するように他の画像を補正する画角補正部（１３）と、上記１つの画像および画角補正部（１３）で補正された他の画像を出力する表示部（１４）と、を有する。
2012073779.tif 000002
【特許請求の範囲】
【請求項１】
レンズを光軸方向に対して前後に移動させて被写体を撮影し、画角の異なる複数の画像を出力するカメラ部と、
前記カメラ部から出力される前記複数の画像を記憶する記憶部と、
前記記憶部が記憶する前記複数の画像について、いずれか１つの画像に画角が一致するように他の画像を補正する画角補正部と、
前記１つの画像および前記画角補正部で補正された前記他の画像を出力する表示部と、
を有する携帯端末。
【請求項２】
請求項１記載の携帯端末において、
前記１つの画像は、前記複数の画像のうち画角が最も狭い画像である、携帯端末。
【請求項３】
請求項２記載の携帯端末において、
前記画角補正部は、
前記他の画像を補正する際、前記複数の画像のうち、前記レンズが被写体に最も近づいたときに撮影された画像を前記１つの画像に特定し、該１つの画像と画角が一致するように前記他の画像の画角を決定し、決定した画角の範囲を前記１つの画像と同等の大きさに拡大する、携帯端末。
【請求項４】
請求項１から３のいずれか１項記載の携帯端末において、
前記記憶部が記憶する複数の画像のコントラストの変化量が予め決められた閾値を越えているか否かによって、前記レンズが合焦位置にあるか否かを判定するフォーカス判定部をさらに有し、
前記フォーカス判定部は、
前記複数の画像のコントラストの変化量が前記閾値を越えている場合、該複数の画像のコントラストに基づいて、画像のコントラストが最大になるレンズの位置を新たな合焦位置に決定する、携帯端末。
【請求項５】
レンズを含むカメラ部、記憶部、表示部、および制御部を有する携帯端末の制御部による画像処理方法であって、
前記制御部は、前記カメラ部に前記レンズを光軸方向に対して前後に移動させて被写体を撮影させ、画角の異なる複数の画像を出力させ、
前記制御部は、前記カメラ部から出力される複数の画像を前記記憶部に格納し、
前記制御部は、前記記憶部に格納された複数の画像について、いずれか１つの画像に画角が一致するように他の画像を補正し、
前記制御部は、前記１つの画像および前記画角補正部で補正された前記他の画像を前記表示部に出力させる、画像処理方法。
【請求項６】
請求項５記載の画像処理方法において、
前記１つの画像は、前記複数の画像のうち画角が最も狭い画像である、画像処理方法。
【請求項７】
請求項６記載の画像処理方法において、
前記制御部が前記他の画像を補正する際、
前記制御部は、前記複数の画像のうち、前記レンズが被写体に最も近づいたときに撮影された画像を前記１つの画像に特定し、
前記制御部は、前記１つの画像と画角が一致するように前記他の画像の画角を決定し、決定した画角の範囲を前記１つの画像と同等の大きさに拡大する、画像処理方法。
【請求項８】
請求項５から７のいずれか１項記載の画像処理方法において、
前記制御部は、前記記憶部に格納された複数の画像のコントラストの変化量が予め決められた閾値を越えているか否かによって、前記レンズが合焦位置にあるか否かを判定し、
前記制御部は、判定の結果、前記複数の画像のコントラストの変化量が前記閾値を越えている場合、該複数の画像のコントラストに基づいて、画像のコントラストが最大になるレンズの位置を新たな合焦位置に決定する、画像処理方法。
【請求項９】
レンズを含むカメラ部、記憶部、表示部、および制御部を有する携帯端末の制御部に実行させるためのプログラムを記録したコンピュータ読み取り可能な記録媒体であって、
前記カメラ部に前記レンズを光軸方向に対して前後に移動させて被写体を撮影させ、画角の異なる複数の画像を出力させ、
前記カメラ部から出力される複数の画像を前記記憶部に格納し、
前記記憶部に格納された複数の画像について、いずれか１つの画像に画角が一致するように他の画像を補正し、
前記１つの画像および前記画角補正部で補正された前記他の画像を前記表示部に出力させる処理を前記制御部に実行させるためのプログラムを記録したコンピュータ読み取り可能な記録媒体。
【請求項１０】
請求項９記載のコンピュータ読み取り可能な記録媒体において、
前記１つの画像は、前記複数の画像のうち画角が最も狭い画像である、コンピュータ読み取り可能な記録媒体。
【発明の詳細な説明】
【技術分野】
【０００１】
本発明は、カメラを有する携帯端末、画像処理方法、およびその方法を携帯端末に実行させるためのプログラムに関する。
【背景技術】
【０００２】
特異点となる被写体に連続的にフォーカスを合わせ続けるコンティニュアス・オートフォーカス（以下では、ＡＦ−Ｃと表記する）という機能を備えたカメラが知られている。通常、デジタルカメラには、液晶パネルなどの表示部が設けられている。このようなデジタルカメラにＡＦ−Ｃを実行させれば、撮影者は、表示部に出力される画像を見ることで、被写体を変えた場合や被写体が動いた場合にフォーカスが合っていることを確認できる。【０００３】
ＡＦ−Ｃの動作は、大別すると、微小運動と合焦位置探索の２つのモードからなる。微小運動モードは、レンズを現在の位置を基準にして光軸方向の前後に微小に移動させながら撮影するものである。合焦位置探索モードは、微小運動によって撮影された複数の画像を解析することによりフォーカスが合っていないと判定された場合、フォーカスが合う位置にレンズを移動させるものである。【０００４】
上記のデジタルカメラにＡＦ−Ｃを実行させると、被写体の位置がレンズの光軸方向に対してほとんど変わっていない場合でも、合焦位置探索の必要があるか否かを判定するために、カメラは微小運動を行う。この場合、微小運動により光路が変化し、表示部に出力される画像の画角が変化する。その結果、表示部の画面には被写体が前後に揺れる動きが表示され、被写体が小さくなったり、大きくなったりする。そのため、画面を見ている撮影者に不快感を生じさせることになる。【０００５】
レンズの移動に伴う画角変化を補正する方法の例が、特開平１０−２８２３９６号公報（以下では、特許文献１と称する）および特開２００８−１６０６２２号公報（以下では、特許文献２と称する）に開示されている。特許文献１には、複数枚のレンズとこれらのレンズの位置を検出する位置検出器とを備え、複数枚のレンズを個別に制御することで、画角の変化をなくすことを可能にしたレンズ駆動制御装置が開示されている。また、特許文献２には、複数枚のレンズとこれらのレンズの位置を検出する位置検出部とを備え、複数枚のレンズを個別に制御することで、出力画像の画角変動を抑制可能にした撮像装置が開示されている。
【発明の概要】
【０００６】
特許文献１に開示されたレンズ駆動制御装置はＴＶ放送用カメラを対象としており、撮影することを主目的としたカメラに適用されるものである。また、特許文献１および特許文献２に開示された技術では、複数枚のレンズを個別に制御する構成と、各レンズの位置を検出するための位置検出部を必要とする構成である。
【０００７】
上述の特許文献に開示された技術を、小型化が要求される、携帯機器に搭載されるカメラにそのまま適用することは困難である。近年の携帯電話向けカメラなど、携帯機器に搭載されるカメラには、複数枚のレンズが設けられているものもあるが、小型化を図るため、複数枚のレンズを一緒に移動させる制御を行っており、複数枚のレンズを個別に制御する構成は設けられていない。
【０００８】
本発明の目的の一つは、上述したような技術が有する問題点を解決するためになされたものであり、ＡＦ−Ｃが実行されていても、表示される画像の画角変化を抑制した携帯端末、画像処理方法、およびその方法を携帯端末に実行させるためのプログラムを提供することである。
【０００９】
本発明の一側面の携帯端末は、レンズを光軸方向に対して前後に移動させて被写体を撮影し、画角の異なる複数の画像を出力するカメラ部と、カメラ部から出力される複数の画像を記憶する記憶部と、記憶部が記憶する複数の画像について、いずれか１つの画像に画角が一致するように他の画像を補正する画角補正部と、その１つの画像および画角補正部で補正された他の画像を出力する表示部と、を有する構成である。
【００１０】
また、本発明の画像処理方法は、レンズを含むカメラ部、記憶部、表示部、および制御部を有する携帯端末の制御部による画像処理方法であって、制御部は、カメラ部にレンズを光軸方向に対して前後に移動させて被写体を撮影させ、画角の異なる複数の画像を出力させ、制御部は、カメラ部から出力される複数の画像を記憶部に格納し、制御部は、記憶部に格納された複数の画像について、いずれか１つの画像に画角が一致するように他の画像を補正し、制御部は、その１つの画像および画角補正部で補正された他の画像を表示部に出力させるものである。
【００１１】
さらに、本発明のプログラムは、レンズを含むカメラ部、記憶部、表示部、および制御部を有する携帯端末の制御部に実行させるためのプログラムであって、カメラ部にレンズを光軸方向に対して前後に移動させて被写体を撮影させ、画角の異なる複数の画像を出力させ、カメラ部から出力される複数の画像を記憶部に格納し、記憶部に格納された複数の画像について、いずれか１つの画像に画角が一致するように他の画像を補正し、その１つの画像および画角補正部で補正された他の画像を表示部に出力させる処理を制御部に実行させるものである。
【図面の簡単な説明】
【００１２】
【図１】図１は本実施形態の携帯端末の一構成例を示すブロック図である。
【図２】図２は図１に示すカメラ部の一構成例を示すブロック図である。
【図３】図３は本実施形態の携帯端末の動作を示すフローチャートである。
【図４Ａ】図４Ａは微小運動モードによって取得した画像と撮影時のレンズ位置との関係を説明するための図である。
【図４Ｂ】図４Ｂは微小運動モードによって取得した画像の一例を示す図である。
【図５】図５は画角とレンズ位置との関係を示すグラフの一例を示す図である。
【図６】図６は図４Ｂに示した３つの画像を対象とする画角補正方法を説明するための図である。
【図７】図７は図３に示したステップ２０１の処理における画角補正方法の手順を示すフローチャートである。
【発明を実施するための形態】
【００１３】
本実施形態の携帯端末の構成を説明する。本実施形態では、本発明に関連する部分の構成を詳細に説明し、携帯電話の機能に関連する構成についての詳細な説明を省略する。
【００１４】
図１は本実施形態の携帯端末の一構成例を示すブロック図である。図２は図１に示すカメラ部の一構成例を示すブロック図である。
【００１５】
図１に示すように、本実施形態の携帯端末は、カメラ部１１と、カメラ部１１から出力される画像を記憶する画像メモリ部１２と、画像メモリ部１２が記憶する画像を出力する表示部１４と、各部を制御する制御部１６とを有する。制御部１６は、カメラ部１１の撮影による画像の画角を補正する画角補正部１３と、カメラ部１１の撮影による画像からフォーカスが合っているか否かを判定するフォーカス判定部１５とを有する。以下に、各構成を詳細に説明する。
【００１６】
制御部１６には、プログラムにしたがって処理を実行するＣＰＵ（Central  Processing  Unit）（不図示）と、プログラムを格納するためのメモリ（不図示）とが設けられている。プログラムには、フォーカスが合っているか否かを判定するための閾値が予め記述されている。ＣＰＵがプログラムを実行することで、画角補正部１３およびフォーカス判定部１５が携帯端末に仮想的に構成される。
【００１７】
図２に示すように、カメラ部１１は、レンズ１１１と、レンズ１１１を光軸方向に移動させる駆動部１１２と、レンズ１１１を介して投写された画像を電気信号に変換する撮像素子１１３と、撮像素子１１３から出力される電気信号をアナログ信号からデジタル信号に変換するＡ／Ｄ変換部１１４とを有する。図２には、凸型のレンズ１１１を１つ表示しているが、レンズ１１１は１つに限らず、複数枚のレンズが設けられていてもよく、また、レンズのタイプは凸型に限らない。
【００１８】
撮像素子１１３は、例えば、ＣＣＤ（Charge  Coupled  Device）、またはＣＭＯＳ（Complementary  Metal  Oxide  Semiconductor）イメージセンサである。Ａ／Ｄ変換部１１４は、撮像素子１１３から受信する画像データをデジタル信号に変換して制御部１６に送信する。
【００１９】
画像メモリ部１２は、ＤＲＡＭ（Dynamic  Random  Access  Memory）およびＳＲＡＭ（Static  RAM）などの揮発性メモリであってもよく、フラッシュメモリなどの不揮発性メモリであってもよい。画像メモリ部１２は、カメラ部１１で撮像された画像のデータおよび制御部１６で補正された画像のデータを記憶する。表示部１４は、制御部１６から受け取る画像を出力する。
【００２０】
制御部１６のフォーカス判定部１５は、ＡＦ−Ｃを実行する旨の指示が入力されると、微小運動モードを一定時間毎にカメラ部１１に実行させる。具体的には、フォーカス判定部１５は、レンズ１１１を光軸方向に対して前後に移動させる旨の制御信号を駆動部１１２に送信し、Ａ／Ｄ変換部１１４から受信する複数の画像データを画像メモリ部１２に格納する。
【００２１】
また、フォーカス判定部１５は、画像メモリ部１２に格納された複数の画像データによる複数の画像について、コントラストの変化量が上記の閾値を越えているか否かを判定する。そして、フォーカス判定部１５は、コントラストの変化量が閾値を越えている場合、レンズ１１１が合焦位置にないと判定し、コントラストの変化量が閾値以下である場合、レンズ１１１が合焦位置にあると判定する。フォーカス判定部１５は、レンズ１１１が合焦位置にないと判定した場合、複数の画像のコントラストに基づいて、画像のコントラストが最大になる、レンズ１１１の位置を新たな合焦位置に決定し、合焦位置探索モードを実行する。具体的には、フォーカス判定部１５は、決定した合焦位置にレンズ１１１を移動させる旨の制御信号を駆動部１１２に送信する。
【００２２】
コントラストの変化量の比較を、画像のどの部分で行うかは、予めプログラムに記述されている。コントラストの比較対象になる部分として、例えば、画像の中心付近であって予め決められた範囲であってもよく、画像を瞬時に解析することで人の顔を検出し、検出した顔を含む領域であってもよい。
【００２３】
また、比較対象となる「コントラスト」の値は、図２に示した撮像素子１１３の全ての画素で検出されるコントラストの値そのものではなく、比較対象として特定された領域において、隣同士の画素のコントラスト値の差を求め、その差の合計値としてもよい。これは、フォーカスが合っていると、隣同士の画素のコントラスト値の差が大きくなる傾向にあるという特性に基づいている。
【００２４】
フォーカス判定部１５が駆動部１１２にレンズ１１１を合焦位置に移動させるための指示方法として、様々な方法が考えられる。ここでは、２つの方法を説明する。
【００２５】
２つの方法のうち、１つ目の方法を説明する。レンズ１１１を所定の距離だけ駆動部１１２に移動させる信号となるパルスの数とレンズ１１１の移動距離との関係を示す表が制御部１６内のメモリ（不図示）に予め格納されている。フォーカス判定部１５は、最後に駆動部１１２を動作させたときに駆動部１１２に送信したパルスの数の情報から、レンズ１１１の現在の位置を特定する。そして、フォーカス判定部１５は、現在の位置と合焦位置との差分を算出し、その差分に相当するパルス数を上記の表から求め、その数のパルスを駆動部１１２に送信する。
【００２６】
続いて、２つ目の方法を説明する。微小運動モードの際、フォーカス判定部１５は、レンズ１１１の位置を示す信号である位置信号を駆動部１１２から受信し、その位置信号と撮影された複数の画像のコントラストとに基づいて、位置信号に対するコントラストの変化を示すグラフを作成し、そのグラフを制御部１６内のメモリ（不図示）に格納しておく。そして、フォーカス判定部１５は、上記のグラフからコントラストが最大になるときの位置信号を求め、その位置信号とレンズ１１１を移動させる旨の指示とを含む制御信号を駆動部１１２に送信する。
【００２７】
次に、図１に示した画角補正部１３の構成を説明する。画角補正部１３は、Ａ／Ｄ変換部１１４から複数の画像データが画像メモリ部１２に新たに格納されると、複数の画像データによる複数の画像について、いずれか１つの画像に画角が一致するように他の画像を補正する。そして、画角補正部１３は、基準となる１つ画像、および補正後の他の画像を表示部１４に送信する。画角補正の際に基準となる１つの画像を、以下では、基本画像と称する。画角補正部１３による、画像の補正方法の一例を、後で詳細に説明する。
【００２８】
なお、本実施形態では、ＣＰＵがプログラムを実行することで、画角補正部１３およびフォーカス判定部１５が携帯端末に仮想的に構成される場合で説明したが、画角補正部１３およびフォーカス判定部１５のそれぞれが、または、これらのうちの一部の機能が、ゲートアレイのような専用の集積回路で構成されていてもよい。
【００２９】
次に、本実施形態の携帯端末の動作を説明する。図３は本実施形態の携帯端末の動作を示すフローチャートである。
【００３０】
撮影者が携帯端末のカメラ部１１を被写体に向け、携帯端末を操作して撮影準備の指示を携帯端末に入力すると、携帯端末は、カメラ部１１を起動し、続いて、被写体にフォーカスが合っているか否かを判定するために、レンズ１１１を光軸方向に前後に動かしながら撮影する微小運動モードを実行する。そして、携帯端末は、微小運動モードでの撮影による画像の画角を補正して表示部１４に出力する（ステップ２０１）。
【００３１】
ここで、微小運動モードによる画像の具体例を説明する。図４Ａおよび図４Ｂは、微小運動モードによって取得した画像と撮影時のレンズ位置との関係を説明するための図である。図４Ａは光軸方向に対するレンズの位置を示すグラフであり、図４Ｂはレンズ位置Ｘ１〜Ｘ３のそれぞれの位置で撮影されたときの画像を示す。図４ＡのＪＰは合焦位置を示す。
【００３２】
図４Ａおよび図４Ｂを参照すると、レンズ位置Ｘ１で撮影されたときの画像の画角は、合焦位置よりもＩＮＦ側のレンズ位置Ｘ２で撮影されたときの画像の画角よりも狭い。また、レンズ位置Ｘ１で撮影されたときの画像の画角は、合焦位置よりもマクロ側のレンズ位置Ｘ３で撮影されたときの画像の画角よりも広い。このように、一般的には、レンズ位置がマクロ側よりもＩＮＦ側または無限遠（∞）側ほど画角は広くなる。画角とレンズ位置との関係を示すグラフの一例を図５に示す。図５に示すグラフの縦軸は画角の広さを示し、横軸はレンズ位置を示す。図５から、レンズ位置がＩＮＦ側ほど、画角が広くなるのがわかる。
【００３３】
以下では、携帯端末によって、微小運動モードで取得した画像が図４Ｂに示す３つの画像であるものとして、図６および図７を参照して説明する。図６は図４Ｂに示した３つの画像を対象とする画角補正方法を説明するための図である。図７は図３に示したステップ２０１の処理における画角補正方法の手順を示すフローチャートである。
【００３４】
携帯端末は、微小運動モードにより、レンズ１１１を光軸方向に前後に移動させながら被写体を撮影し、画角の異なる３つの画像を取得する（ステップ２１１）。続いて、携帯端末は、３つの画像を画像メモリ部１２に格納した後（ステップ２１２）、それら３つの画像のうち、画角が最も狭い画像を基本画像に特定する。図４Ｂに示した３つの画像のうち、レンズ位置Ｘ３で撮影されたときの画像（図６に示す画像Ａ）が基本画像となる。
【００３５】
続いて、携帯端末の画角補正部１３は、画像Ａに画角が一致するように、他の画像を補正する（ステップ２１３）。具体的には、画角補正部１３は、レンズ位置Ｘ１で撮影されたときの画像から、画像Ａに画角が一致する領域をクリッピングし、その領域を画像Ａの大きさに拡大したものを画像Ｂとする。図６において、一点鎖線で囲まれた範囲はクリッピング部分を示している。また、画角補正部１３は、レンズ位置Ｘ２で撮影されたときの画像から、画像Ａに画角が一致する領域をクリッピングし、その領域を画像Ａの大きさに拡大したものを画像Ｃとする。
【００３６】
携帯端末は、画角が最も狭い画像を基本画像に特定することで、ステップ２１３の処理において、レンズ位置Ｘ１およびＸ２で撮影されたときの画像のそれぞれをクリッピングした後、画像Ａの大きさに合わせる際、クリッピングした領域を画像Ａの大きさに拡大するだけで済むという利点がある。
【００３７】
ステップ２１３の後、画角補正部１３は、画像Ａ、画像Ｂおよび画像Ｃを順次表示部１４に送信し、これらの画像を順に表示部１４に出力させる（ステップ２１４）。
【００３８】
一定時間毎に微小運動モードを行う度に、レンズ１１１が光軸方向に前後に移動しても、その度に図３および図７を参照して説明した画像処理を行うことで、複数の画像が連続して表示部１４で表示されても、いずれの画像も画角が一致しているため、被写体が大きくなったり、小さくなったりすることがなく、撮影者に不快感を生じさせない。
【００３９】
次に、図３に示すステップ２０２において、携帯端末は、フォーカスが合っているか否かを判定するために、画像メモリ部１２に格納された３つの画像データから、３つの画像のコントラストの変化量が閾値を越えているか否かを判定する（ステップ２０２）。ステップ２０２の判定の結果、コントラストの変化量が閾値を越えている場合、携帯端末は、レンズ１１１が合焦位置にないと判定する。そして、携帯端末は、３つの画像のコントラストに基づく、画像のコントラストとレンズ位置との関係から、コントラストが最大になるレンズ位置を新たな合焦位置に決定し、合焦位置探索モードを実行する（ステップ２０３）。ステップ２０３の処理の後、携帯端末は、ステップ２０１に戻る。
【００４０】
一方、ステップ２０２の判定の結果、コントラストの変化量が閾値以下である場合、携帯端末は、レンズ１１１が合焦位置にあると判定し、ステップ２０１に戻る。
【００４１】
なお、図７を参照して説明した動作手順では、基本画像を画像Ａに特定する場合を説明したが、図４Ｂに示した、レンズ位置Ｘ１で撮影されたときの画像を基本画像にしてもよい。ＡＦ−Ｃでは、一定時間毎に微小運動モードが実行されるが、次の微小運動モードを開始する前、レンズ１１１の位置が合焦位置にある可能性が高いからである。
【００４２】
本実施形態の携帯端末では、ＡＦ−Ｃを実行する際、レンズを移動させながら複数の画像を取得し、複数の画像の画角の変化に対する画像の差分を抽出し、画角が一致するように画像を補正することで、レンズの微小移動に伴った画角の変化を抑制することが可能となる。そのため、複数枚のレンズを個別に制御する構成を必要としないため、携帯電話などの携帯機器向けカメラに対する小型化の要求に応えることが可能となる。また、ＡＦ−Ｃの実行中に表示部に出力される画像の画角の変化が抑制されるため、表示部を見ている撮影者に不快感を生じさせない。
【００４３】
また、複数の画像に対して画角を一致させる補正を行う際に、マクロ端側の画像を基本画像として、基本画像に画角を一致させる画像処理を他の画像に行えば、マクロ端から∞端までのレンズ移動の画角の変化を補正することができる。本実施形態の画像処理方法を、ＡＦ−Ｃの微小運動における画角の変化だけでなく、通常のＡＦの際に起こり得る、画像の揺れの防止対策に、適用することも可能である。
【００４４】
本実施形態の画像処理方法に類似する技術として、動画の手ブレ補正技術がある。「手ブレ」とは、カメラを保持する撮影者の手が固定されずに震えることを意味し、手ブレが発生しているときに撮影された被写体の画像の画角がフレーム間でずれてしまうという問題がある。手ブレ補正技術は、撮影する画像の全てに対して、外周から内側に所定幅のマージンを設定し、連続するフレームのそれぞれについて、マージン分を除いた、同じ画角の領域をクリッピングして出力または記録するものである。
【００４５】
手ブレ補正技術では、フレーム間で同じ領域をクリッピングするのみで、画像の拡大処理を行わないため、レンズの光軸方向の移動に伴う、画角の変化を補正することはできない。また、本実施形態の画像処理方法は、画像データの差分の抽出という点では、手ブレ補正技術による差分検出技術と同様に、特異点を抽出する方法に相当すると言える。しかし、本実施形態では、基本画像との差分に対して画角の変化分のための拡大処理または縮小処理のみを行うだけで、フレーム間の特異点が重なるため、手ブレ補正技術よりも容易である。
【００４６】
本発明を、撮像素子を含むカメラと画像処理機能とを備えた、携帯電話機、ＰＨＳ（Personal  Handyphone  System）、およびＰＤＡ（Personal  Digital  Assistants）等の携帯端末に適用することが可能である。また、本発明のプログラムを、コンピュータ読み取り可能な記録媒体に記録してもよい。
【００４７】
なお、上述の実施形態では、本実施形態の画像処理方法を詳しく説明するために、図１に示す機能ブロック図にフォーカス判定部１５を表示したが、本実施形態の画像処理方法のうち最も特徴となる処理を携帯端末に実行させるには、図１に示す構成のうち、カメラ部１１、画像メモリ部１２、画角補正部１３および表示部１４を携帯端末が備えていればよい。
【００４８】
本発明の効果の一例として、ＡＦ−Ｃのような、レンズの微小運動に対して、レンズを複雑に制御しなくても、表示部に出力される画像の画角の変化を抑制できる。
【００４９】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００５０】
なお、この出願は、２０１０年１２月１日に出願された日本出願の特願２０１０−２６８２４０の内容が全て取り込まれており、この日本出願を基礎として優先権を主張するものである。
【符号の説明】
【００５１】
１１    カメラ部
１２    画像メモリ部
１３    画角補正部
１４    表示部
１５    フォーカス判定部
１６    制御部
１１１    レンズ
１１２    駆動部
１１３    撮像素子
【図１】
2012073779.tif 000003
【図２】
2012073779.tif 000004
【図３】
2012073779.tif 000005
【図４Ａ】
2012073779.tif 000006
【図４Ｂ】
2012073779.tif 000007
【図５】
2012073779.tif 000008
【図６】
2012073779.tif 000009
【図７】
2012073779.tif 000010
【手続補正書】
【提出日】平成25年5月22日(2013.5.22)
【手続補正１】
【補正対象書類名】特許請求の範囲
【補正対象項目名】全文
【補正方法】変更
【補正の内容】
【特許請求の範囲】
【請求項１】
レンズを光軸方向に対して前後に移動させて被写体を撮影し、画角の異なる複数の画像を出力するカメラ部と、
前記カメラ部から出力される前記複数の画像を記憶する記憶部と、
前記記憶部が記憶する前記複数の画像について、いずれか１つの画像を基本画像として該基本画像に画角が一致するように他の画像を補正する画角補正部と、
前記基本画像および前記画角補正部で補正された前記他の画像を出力する表示部と、
を有する携帯端末。
【請求項２】
請求項１記載の携帯端末において、
前記基本画像は、前記複数の画像のうち画角が最も狭い画像である、携帯端末。
【請求項３】
請求項２記載の携帯端末において、
前記画角補正部は、
前記他の画像を補正する際、前記複数の画像のうち、前記レンズが被写体に最も近づいたときに撮影された画像を前記基本画像に特定し、該基本画像と画角が一致するように前記他の画像の画角を決定し、決定した画角の範囲を前記基本画像と同等の大きさに拡大する、携帯端末。
【請求項４】
請求項１から３のいずれか１項記載の携帯端末において、
前記記憶部が記憶する複数の画像のコントラストの変化量が予め決められた閾値を越えているか否かによって、前記レンズが合焦位置にあるか否かを判定するフォーカス判定部をさらに有し、
前記フォーカス判定部は、
前記複数の画像のコントラストの変化量が前記閾値を越えている場合、該複数の画像のコントラストに基づいて、画像のコントラストが最大になるレンズの位置を新たな合焦位置に決定する、携帯端末。
【請求項５】
レンズを含むカメラ部、記憶部、表示部、および制御部を有する携帯端末の制御部による画像処理方法であって、
前記制御部は、前記カメラ部に前記レンズを光軸方向に対して前後に移動させて被写体を撮影させ、画角の異なる複数の画像を出力させ、
前記制御部は、前記カメラ部から出力される複数の画像を前記記憶部に格納し、
前記制御部は、前記記憶部に格納された複数の画像について、いずれか１つの画像を基本画像として該基本画像に画角が一致するように他の画像を補正し、
前記制御部は、前記基本画像および補正された前記他の画像を前記表示部に出力させる、画像処理方法。
【請求項６】
請求項５記載の画像処理方法において、
前記基本画像は、前記複数の画像のうち画角が最も狭い画像である、画像処理方法。
【請求項７】
請求項６記載の画像処理方法において、
前記制御部が前記他の画像を補正する際、
前記制御部は、前記複数の画像のうち、前記レンズが被写体に最も近づいたときに撮影された画像を前記基本画像に特定し、
前記制御部は、前記基本画像と画角が一致するように前記他の画像の画角を決定し、決定した画角の範囲を前記基本画像と同等の大きさに拡大する、画像処理方法。
【請求項８】
請求項５から７のいずれか１項記載の画像処理方法において、
前記制御部は、前記記憶部に格納された複数の画像のコントラストの変化量が予め決められた閾値を越えているか否かによって、前記レンズが合焦位置にあるか否かを判定し、
前記制御部は、判定の結果、前記複数の画像のコントラストの変化量が前記閾値を越えている場合、該複数の画像のコントラストに基づいて、画像のコントラストが最大になるレンズの位置を新たな合焦位置に決定する、画像処理方法。
【請求項９】
レンズを含むカメラ部、記憶部、表示部、および制御部を有する携帯端末の制御部に実行させるためのプログラムであって、
前記カメラ部に前記レンズを光軸方向に対して前後に移動させて被写体を撮影させ、画角の異なる複数の画像を出力させ、
前記カメラ部から出力される複数の画像を前記記憶部に格納し、
前記記憶部に格納された複数の画像について、いずれか１つの画像を基本画像として該基本画像に画角が一致するように他の画像を補正し、
前記基本画像および補正された前記他の画像を前記表示部に出力させる処理を前記制御部に実行させるためのプログラム。
【請求項１０】
請求項９記載のプログラムにおいて、
前記基本画像は、前記複数の画像のうち画角が最も狭い画像である、プログラム。
【国際調査報告】
2012073779.tif 000011
2012073779.tif 000012